(57)【特許請求の範囲】
【請求項１】
ベースと、当該ベースから延びると共に、その自由端側が当該ベースの係合部に係合することにより長尺体を保持する保持部と、を備えた長尺体固定具であって、
前記保持部は、前記ベースから分離可能であると共に、湾曲可能な部材からなる円弧状の帯体から形成されており、その一端に当該ベースに着脱可能に取付けられる被取付部が形成され、当該保持部の他端である自由端側には、前記ベースの係合部に係合する被係合部が、その長さ方向に複数形成されてなり、
前記ベースは、基部と、当該基部上に円弧状に設けられた把持片を備え、当該把持片の外面には、前記被取付部が着脱可能に取付けられる取付部が、前記把持片の周方向に互いに間隔をおいて複数形成され、
前記ベースの取付部及び前記保持部の被係合部の両者を選択することで、前記長尺体が保持される空間の大きさを調整する長尺体固定具。
【請求項２】
前記保持部は、前記取付部に取付けられた際に、当該取付部を支点として回動可能である請求項１記載の長尺体固定具。
【請求項３】
前記ベースの内側に、前記長尺体の形状に合わせてベースを変形可能な溝を形成した請求項１または請求項２記載の長尺体固定具。
【請求項４】
前記ベースと保持部を覆うカバーをさらに備えた請求項１ないし請求項３記載のいずれか一項に記載の長尺体固定具。
【請求項５】
前記ベースに、当該ベースの係合部と前記保持部の被係合部との係合を解除する解除片を設けた請求項１ないし請求項４のいずれか一項に記載の長尺体固定具。
【発明の詳細な説明】
【発明が属する技術分野】
本発明は、配管や樋管、ケーブル等の長尺体を、壁面やパネル等に取付ける際に使用する長尺体固定具に関する。
【従来の技術】
従来、配管や樋管、ケーブル等の長尺体を、壁面やパネル等に取付ける際に使用する長尺体固定具として、例えば、実公昭５４−４５５３４号公報、実開昭５０−６４８７４号公報、実開昭５７−８５８１５号公報、実開昭６３−１３６１２９号公報等に記載されたものがある。これらの公報に記載された長尺体固定具は、いずれも、ベースと、このベースに取付けられて長尺体を保持する保持部とを備えている。そして、この保持部の一端に、前記ベースの係合部に係合される被係合部を形成し、この被係合部をベースの係合部に係合させることで、長尺体を把持・固定する構成を備えている。
このような従来の長尺体固定具の中には、前記保持部の一端に複数の被係合部を形成し、前記ベースの係合部に係合される被係合部を選択することによって、保持部の長さを調整し、把持すべき長尺体の径に対応したサイズ調整が行えるものがある。
【発明が解決しようとする課題】
しかしながら、前記従来の長尺体固定具は、前述したように複数の被係合部を選択することによって、把持すべき長尺体の径に対応したサイズ調整を行う構成であるため、調整可能な範囲を広くとることが困難であった。このため、長尺体のサイズに適合する多くの種類の長尺体固定具が必要であった。
また、前記調整可能な範囲を広くとる目的で、前記被係合部の設置数を増やすと、長尺体が保持される空間を狭くした際に、余った保持部が邪魔になる虞れもあった。
本発明は、このような従来の長尺体固定具を改良することを目的とするものであり、長尺体を保持する空間の大きさを調整可能な範囲が広く、保持すべき長尺体の様々な径に対し広範囲に適合させることが可能である長尺体固定具を提供することを目的とする。
【課題を解決するための手段】
この目的を達成するために本発明は、ベースと、当該ベースから延びると共に、その自由端側が当該ベースの係合部に係合することにより長尺体を保持する保持部と、を備えた長尺体固定具であって、前記保持部は、前記ベースから分離可能であり、当該ベースに着脱可能に取付けられる被取付部が形成され、前記ベースには、前記被取付部が取付けられる取付部が、前記保持部の長さ方向に対応する方向に互いに間隔をおいて複数形成され、前記ベースの取付部を選択することで、前記長尺体が保持される空間の大きさを調整する長尺体固定具を提供するものである。
この構成を備えた長尺体固定具は、ベースの取付部を選択することで、前記長尺体が保持される空間の大きさを調整することができる。
また、前記保持部の自由端側には、前記ベースの係合部に係合する被係合部が、その長さ方向に複数形成することができる。
この構成を備えた長尺体固定具は、ベースの取付部と保持部の被係合部の両者によって、長尺体が保持される空間の大きさを調整することができる。したがって、長尺体が保持される空間の大きさの調整範囲を広くとることができる。また、前記空間の大きさの調整を、ベースの取付部と保持部の被係合部の両者で行うことができるため、前記被係合部の設置数（被係合部が設けられる領域）を従来より少なくしても、長尺体が保持される空間を狭くすることができる。したがって、余った保持部が邪魔になることを防止できる。
前記ベースの内側には、前記長尺体の形状に合わせてベースを変形可能な溝を形成することができる。このようにすることで、長尺体固定具を把持すべき長尺体の形状にさらにフィットさせることができる。
また、本発明に係る長尺体固定具は、前記ベースと保持部を覆うカバーをさらに備えることもできる。
そしてまた、前記ベースには、当該ベースの係合部と前記保持部の被係合部との係合を解除する解除片を設けることもできる。このようにすることで、長尺体の把持・固定作業をさらに向上させることができる。
【発明の実施の形態】
次に、本発明の好適な実施の形態に係る長尺体固定具について、図面を参照して説明する。
図１は、本実施の形態に係る長尺体固定具の分解斜視図、図２は、図１に示す長尺体固定具を組み立てた状態を示す斜視図、図３は、図２に示す長尺体固定具の側面図、図４は、図２に示す長尺体固定具を閉じた状態を示す斜視図、図５は、図２に示す長尺体固定具に長尺体を把持した状態を示す斜視図、図６は、図４に示す長尺体固定具の断面図、図７は、図５に示す長尺体固定具の正面図である。
図１ないし図７に示すように、本実施の形態に係る長尺体固定具１は、ベース２と、ベース２に取付られて長尺体３を保持する保持部４と、を備えて構成されている。
ベース２は、例えば、壁面やパネル等の図示しない被固定部材に固定される基部５と、基部５上に円弧状に設けられた把持片６Ａ及び６Ｂを備えている。把持片６Ａの外面には、後に詳述する保持部４の被取付部１１が着脱可能に取付けられる取付部７Ａ及び７Ｂが、周方向に所定の間隔をおいて並設されている。すなわち、取付部７Ａ及び７Ｂは、保持部４がベース２に取付けられた際に、保持部４の長さ方向に対応する方向に互いに間隔をおいて形成されている。この取付部７Ａ及び７Ｂは、断面略Ｃ字状のフックから構成されている。
また、把持片６Ｂの先端には、これより外側に略コ字状に折り返して形成された押さえ片９が設けられており、この押さえ片９の内側には、後に詳述する保持部４の被係合部１２が係合する係合部８が形成されている。この押さえ片９の折曲部１０には、保持部４の被係合部１２が挿入可能な略矩形の挿入穴１３が形成されている。また、この押さえ片９の先端が、被係合部１２と係合部８との係合を解除する解除片１４となっている。
さらにまた、ベース２の内側には、長尺体３の形状に合わせてベース２を変形させる溝１５が複数形成されている。
保持部４は、湾曲可能な部材からなり円弧状の帯体から形成されている。保持部４の一端には、ベース２の取付部７に着脱可能に取付けられる被取付部１１が形成されている。この被取付部１１は、ベース２の取付部７Ａ及び７Ｂに対し着脱可能に嵌合され、かつ取付部７Ａ及び７Ｂを支点として回動可能となっている。
また、保持部４の他端には、ベース２の係合部８に着脱可能に係合される被係合部１２が、保持部４の長さ方向に互いに間隔をおいて複数形成されている。これらの被係合部１２は、ベース２の係合部８に係合する歯状（段状）に形成されている。
次に、本実施の形態に係る長尺体固定具１の具体的動作について、図面を参照して説明する。
長尺体固定具１に保持（把持）される長尺体３の径に合わせて、保持部４の被取付部１１を取付ける位置を選択する。長尺体３の径が比較的小さい場合は、取付部７Ｂを、長尺体３の径が比較的大きい場合は、取付部７Ａを選択する。なお、図２ないし図７には、取付部７Ｂを選択した場合について記載してある。
図２及び図３に示すように、保持部４の被取付部１１をベース２の取付部７Ｂに嵌合させて、両者を連結させる。次に、図５及び図７に示すように、長尺体固定具１内に長尺体３を保持した後、保持部４の被係合部１２の先端側をベース２の挿入穴１３から挿入させる。次いで、保持部４が、長尺体３に最適にフィットするまで保持部４を深く挿入させて締め付け、この位置に形成されている被係合部１２を係合部８に係合させる。すなわち、ベース２の取付部７Ｂと保持部４の被係合部１２の位置によって、長尺体３が保持される空間の大きさを調整し、長尺体３を確実に固定する。
なお、さらに径の小さい長尺体３Ａを保持する場合は、図８に示すように、さらに保持部４が、長尺体３に最適にフィットするまで深く挿入して締め付け、この位置に形成されている被係合部１２を係合部８に係合させればよい。このように、比較的径の小さい長尺体３Ａを保持しても、ベース２の内側には、前述した溝１５が形成されているため、ベース２は、簡単に長尺体３Ａの外径に合わせて変形するため、長尺体固定具１は、長尺体３Ａにさらに良好にフィットすることができる。
また、径が比較的大きい長尺体３Ｂを保持する場合は、図９ないし図１１に示すように、ベース２の取付部７Ａを選択し、ここに保持部４の被取付部１１を嵌合させればよい。
このように、本発明に係る長尺体固定具１は、ベース２の取付部７Ａ及び７Ｂの選択と、保持部４の被係合部１２の位置の両方によって、長尺体３が保持される空間の大きさを調整できるため、長尺体３が保持される空間の変更範囲を広くとることができる。また、前記空間の大きさの調整を、前記両者で行うことができるため、被係合部１２の設置数（被係合部が設けられる領域）を従来より少なくしても、長尺体３が保持される空間を狭くすることができる。したがって、被係合部１２の設置数を必要以上に多く形成する必要がないため、余った保持部４が邪魔になることを防止することができる。
次に、長尺体３（３Ａ、３Ｂ）を、長尺体固定具１から取外す際は、解除片１４を外側に引き起こせば、係合部８と被係合部１２との係合を簡単に解除することができる。その後、保持部４を挿入穴１３から引き抜いて、図２、図３、図９及び図１０に示すように、保持部４を開くことで、長尺体３（３Ａ、３Ｂ）を長尺体固定具１から簡単に取外すことができる。
また、本実施の形態に係る長尺体固定具１は、図１２に示すように、カバー２０で覆うことができる。このカバー２０は、カバー固定部２１と、カバー固定部２１に着脱可能に固定されて長尺体固定具１を覆うカバー本体２２とから構成することができる。この構成の場合、ベース２は、カバー固定部２１を介して壁面やパネル等に固定される。
なお、本実施の形態では、ベース２に取付部を２つ（７Ａ及び７Ｂ）設置した場合について説明したが、これに限らず、取付部の設置個所、設置数は、長尺体が保持される空間大きさを調整可能であれば、任意に設定してよい。
【発明の効果】
以上説明したように、本発明に係る長尺体固定具は、保持部の被係合部及びベースの取付部を選択することで、長尺体が保持される空間の大きさを調整する構成を備えている。したがって、長尺体が保持される空間の大きさの範囲を広くとることができる。また、前記被係合部の設置数（被係合部が設けられる領域）を従来より少なくしても、長尺体が保持される空間を狭くすることができるため、余った保持部が邪魔になることを防止することができる。この結果、汎用性が高く、サイズの種類を必要最小限にしても、多くのサイズの長尺体に対応することができる。
【図面の簡単な説明】
【図１】本発明の実施の形態に係る長尺体固定具の分解斜視図である。
【図２】図１に示す長尺体固定具を組み立てた状態を示す斜視図である。
【図３】図２に示す長尺体固定具の側面図である。
【図４】図２に示す長尺体固定具を閉じた状態を示す斜視図である。
【図５】図２に示す長尺体固定具に長尺体を把持した状態を示す斜視図である。
【図６】図４に示す長尺体固定具の断面図である。
【図７】図５に示す長尺体固定具の正面図である。
【図８】径が比較的小さい長尺体を保持した状態を示す正面図である。
【図９】図１に示す長尺体固定具を組み立てた状態を示す斜視図である。
【図１０】図９に示す長尺体固定具の側面図である。
【図１１】図９に示す長尺体固定具に長尺体を把持した状態を示す正面図である。
【図１２】図７に示す長尺体固定具をカバーで覆った状態を示す図である。
【符号の説明】
１    長尺体固定具
２    ベース
３、３Ａ、３Ｂ    長尺体
４    固定具
７Ａ、７Ｂ    取付部
８    係合部
１１    被取付部
１２    被係合部
１４    解除片
【図１】
0004602523.tif 000002
【図２】
0004602523.tif 000003
【図３】
0004602523.tif 000004
【図４】
0004602523.tif 000005
【図５】
0004602523.tif 000006
【図６】
0004602523.tif 000007
【図７】
0004602523.tif 000008
【図８】
0004602523.tif 000009
【図９】
0004602523.tif 000010
【図１０】
0004602523.tif 000011
【図１１】
0004602523.tif 000012
【図１２】
0004602523.tif 000013